(57)【要約】      （修正有）【課題】電子機器の靴への着脱を可能にしつつ、当該電子機器の電池交換を可能にする技術を提供する。【解決手段】靴は、電子機器３０と、電子機器３０が着脱可能な嵌合形状の収容凹部１３を有するソール１０と、を備える。電子機器３０は、電池３１と、電子部品３２と、電池３１および電子部品３２を格納するケース３３と、を有して電池３１が交換可能に構成される。また、電子機器３０は、ソール１０への収容状態において左右非対称の輪郭形状であり、収容凹部１３は、電子機器３０の輪郭形状に沿った左右非対称の形状である。【選択図】図２
2020058691.tif 000002
【特許請求の範囲】
【請求項１】
電池と、電子部品と、前記電池および前記電子部品を格納するケースと、を有して前記電池が交換可能に構成された電子機器と、
上面側に前記電子機器を着脱可能に収容する収容凹部が設けられたソールと、
を備え、
前記収容凹部は、上面視において、収容状態の前記電子機器の外観形状に応じた嵌合形状を有する、
靴。
【請求項２】
前記電子機器は、収容状態の上面視において、左右非対称の輪郭形状を有し、
前記収容凹部は、上面視において、前記電子機器の輪郭形状に沿った左右非対称の形状を有する、
請求項１に記載の靴。
【請求項３】
前記電子機器は、収容状態の上面視において、左方および右方の何れかに凸状の外観形状を有し、
前記収容凹部は、上面視において、前記電子機器の前記凸状の外観形状に沿った形状を有する、
請求項１又は２に記載の靴。
【請求項４】
前記電池と前記電子部品とは、収容状態の上面視において、並んで配置される、
請求項１〜３の何れか一項に記載の靴。
【請求項５】
前記ケースは、取り外し可能な蓋部を有し、
前記電子機器は、前記蓋部を留めるための留め部を、前記収容状態における上面視において前記ケースの側部に有することで、前記電子機器が左右非対称の輪郭形状をなす、
請求項１〜４の何れか一項に記載の靴。
【請求項６】
前記留め部は、ネジと、前記ケースの前記側部に設けられたネジ穴と、前記ケースの前記ネジ穴の周囲に設けられた環状突起部と、を有する、
請求項５に記載の靴。
【請求項７】
前記留め部は、ネジと、前記ケースの前記側部に設けられたネジ穴とを有して構成された、
請求項５に記載の靴。
【請求項８】
前記電池は、ボタン電池であり、
前記留め部は、前記収容状態における上面視において、前記電池と前記電子部品とに当接していない位置に設けられている、
請求項５〜７の何れか一項に記載の靴。
【請求項９】
前記ソールは、前記電子機器の前記留め部に対応する嵌着部を、前記収容凹部のうち、前記靴の外方側に有する、
請求項５〜８の何れか一項に記載の靴。
【請求項１０】
前記電子機器は、収容状態の上面視において、前方側が突出形状であり、後方側が非突出形状である、
請求項１〜９の何れか一項に記載の靴。
【請求項１１】
前記ソールは、本体パーツと、前記収容凹部を有する前記本体パーツとは硬度が異なる凹部形成パーツとを有する、
請求項１〜１０の何れか一項に記載の靴。
【請求項１２】
前記凹部形成パーツは、前記本体パーツより硬度が高い、
請求項１１に記載の靴。
【請求項１３】
上面側に電子機器を着脱可能な嵌合形状の収容凹部が設けられたソールを備えた靴に収容される前記電子機器であって、
電池と、
電子部品と、
前記電池および前記電子部品を格納するケースと、
を有して前記電池が交換可能に構成された電子機器。
【発明の詳細な説明】
【技術分野】
【０００１】
本発明は、ソールに電子機器を着脱可能な靴等に関する。
【背景技術】
【０００２】
従来、センサーと通信機を内蔵した小型の電子機器を、ソールに設けた凹部に収容された靴が知られている。電子機器は、センサーで計測したデータに基づいて運動に関する様々なパラメータ値（例えば、消費カロリーの計算やランニングした距離など）を算出し、センサーで計測したデータや算出したパラメータ値を、ユーザの携行装置に送信することができるとされる。そして、ユーザは、運動に関する様々なパラメータ値を自らの健康管理等に役立てることができる（例えば、特許文献１を参照）。
【先行技術文献】
【特許文献】
【０００３】
【特許文献１】特表２００９−５３５１５７号公報
【発明の概要】
【発明が解決しようとする課題】
【０００４】
特許文献１では、電子機器である電子モジュールが電池を備えることは記載されているが、その電池の交換については記載されていない。つまり、電池が切れたら電子モジュール自体を交換するしかない。
【０００５】
本発明は、電子機器の靴への着脱を可能にしつつ、当該電子機器の電池交換を可能にする技術を提供することを目的として考案されたものである。
【課題を解決するための手段】
【０００６】
本発明の一態様は、電池と、電子部品と、前記電池および前記電子部品を格納するケースと、を有して前記電池が交換可能に構成された電子機器と、上面側に前記電子機器を着脱可能に収容する収容凹部が設けられたソールと、を備え、前記収容凹部は、上面視において、収容状態の前記電子機器の外観形状に応じた嵌合形状を有する、靴である。
【０００７】
なお、前記電子機器は、収容状態の上面視において、左右非対称の輪郭形状を有し、前記収容凹部は、上面視において、前記電子機器の輪郭形状に沿った左右非対称の形状を有するとしてもよい。
【０００８】
また、前記電子機器は、収容状態の上面視において、左方および右方の何れかに凸状の外観形状を有し、前記収容凹部は、上面視において、前記電子機器の前記凸状の外観形状に沿った形状を有するとしてもよい。
【０００９】
また、前記電池と前記電子部品とは、収容状態の上面視において、並んで配置される、としてもよい。
【００１０】
また、前記ケースは、取り外し可能な蓋部を有し、前記電子機器は、前記蓋部を留めるための留め部を、収容状態における上面視において前記ケースの側部に有することで、前記電子機器が前記左右非対称の輪郭形状をなす、としても良い。
【００１１】
また、前記留め部は、ネジと、前記ケースの前記側部に設けられたネジ穴と、前記ケースの前記ネジ穴の周囲に設けられた環状突起部と、を有するとしてもよい。
【００１２】
また、前記留め部は、ネジと、前記ケースの前記側部に設けられたネジ穴とを有して構成されてもよい。
【００１３】
また、前記電池は、ボタン電池であり、前記留め部は、前記収容状態における上面視において、前記電池と前記電子部品とに当接していない位置に設けられている、としてもよい。
【００１４】
また、前記ソールは、前記電子機器の前記留め部に対応する嵌着部を、前記収容凹部のうち、前記靴の外方側に有する、としても良い。
【００１５】
また、前記電子機器は、収容状態の上面視において、前方側が突出形状であり、後方側が非突出形状である、としても良い。
【００１６】
また、前記ソールは、本体パーツと、前記収容凹部を有する前記本体パーツとは硬度が異なる凹部形成パーツとを有する、としても良い。
【００１７】
また、前記凹部形成パーツは、前記本体パーツより硬度が高い、としても良い。
【００１８】
また、別態様として、上面側に電子機器を着脱可能な嵌合形状の収容凹部が設けられたソールを備えた靴に収容される前記電子機器であって、電池と、電子部品と、前記電池および前記電子部品を格納するケースと、を有して前記電池が交換可能に構成された電子機器を構成するとしてもよい。
【図面の簡単な説明】
【００１９】
【図１】本実施形態の靴の左側面図。
【図２】ソールと、電子機器との構成例を示す図であって、靴を真上から見た平面図。
【図３】電子機器の構成例を示す図であって、（１）が斜視図、（２）が電池を交換する際の分解図。
【図４】電子機器のＡ−Ａ断面（図２参照）におけるＸＺ断面図。
【図５】電子機器のＸＹ断面図。
【図６】ＸＹ断面図を元に電子機器の内部空間構成を目的別に強調表示した図。
【図７】変形例その１における、ソールと電子機器との構成例を示す図。
【図８】変形例その２における、電子機器の構成例を示すＸＹ断面図。
【図９】変形例その３における、電子機器の構成例を示すＸＹ断面図。
【発明を実施するための形態】
【００２０】
以下、本発明の実施形態の例を説明するが、本発明を適用可能な形態が以下の実施形態に限られないことは勿論である。なお、説明中に使用される方向は、図中に例示している。
【００２１】
本発明を適用した本実施形態の靴２は、一例として右足用の靴として説明するが、左足用の靴であってもよい。また、右足用と左足用の両方の靴に本発明適用してもよい。
【００２２】
図１は、本実施形態の靴２の左側面図である。靴２は、ソール１０と、ソール１０を前後方向に、前足部、中足部、踵部に３分割した場合の中足部に着脱可能な電子機器３０と、を有する。
【００２３】
ソール１０は、ミッドソール１１と、アウターソール１２とを有する。靴２の製作方法によっては、両者の区別が無い一体品であってもよい。また、適宜インナーソール１９を設けることができる。そして、ソール１０は、ミッドソール１１の上面側に、電子機器３０を着脱可能な嵌合形状の収容凹部１３を有する。
【００２４】
図２は、ソール１０と、電子機器３０との構成例を示す図であって、靴２を真上から見た（上面視した）平面図である。ソール１０は、ソールとしての主たる平面を構成する本体パーツ１４と、収容凹部１３を有する凹部形成パーツ１５と、を有する。
【００２５】
収容凹部１３は、上面視において、収容状態の電子機器３０の外観形状に応じた嵌合形状を有する。
【００２６】
本体パーツ１４と凹部形成パーツ１５は、硬度が異なっている。より具体的には、本体パーツ１４はＥＶＡ樹脂（エチレン・酢酸ビニル共重合樹脂）で作成され、凹部形成パーツ１５はＴＰＵ樹脂（熱可塑性ポリウレタン樹脂）で作成されている。凹部形成パーツ１５は、本体パーツ１４より硬度が高い。
【００２７】
電子機器３０は、電池３１と、電子部品３２と、電池３１および電子部品３２を格納するケース３３と、を有している。そして、電子機器３０は、電池３１を交換可能に格納する平板状形状を有する。具体的には、電子機器３０は、図示のようなソール１０の収容凹部１３へ収容された収容状態において対称軸ＡＸ１で左右非対称の輪郭形状を有している。ここで言う「左右非対称」の左右は、電子機器３０をソール１０に収容した状態においての左右である。本実施形態では、靴２を右足用として例示しているので、対称軸ＡＸ１は、靴２の前後方向を向いていて、左が靴の内方側、右が靴の外方側に相当する。
【００２８】
図３は、電子機器３０の構成例を示す図であって、図３（１）が組立完了状態の斜視図、図３（２）が電池３１を交換する際の分解図、に相当する。
図４は、電子機器３０のＡ−Ａ断面（図２参照）におけるＸＺ断面図である。
図５は、電子機器３０のＸＹ断面図である。
図６は、ＸＹ断面図を元に電子機器３０の内部空間の構成を目的別に強調表示した図である
【００２９】
電池３１は、コイン型に分類されるボタン電池である。
【００３０】
電子部品３２は、様々な電子素子を搭載した電子回路基板３２ｋと、プラス電極板３２ｄｐ（図４，図５参照）と、マイナス電極板３２ｄｍ（図４，図５参照）と、を含む。
【００３１】
電子回路基板３２ｋは、３軸加速度センサー３２ｓと、マイクロプロセッサ３２ｍと、ＩＣメモリー３２ｉと、小型無線通信器３２ｔと、を搭載する。勿論、その他の電子部品や回路部を搭載することができる。例えば、図示されていない電池３１からの回路も適宜搭載されている。
【００３２】
電子回路基板３２ｋには、電池３１から電力が供給される。３軸加速度センサー３２ｓは、ＸＹＺの直交３軸それぞれの方向の加速度を計測する。計測値は、マイクロプロセッサ３２ｍによる所定の演算処理によって、計測された値のまま、或いは靴２の移動を表すパラメータ値や靴２のユーザの運動量に関するパタメータ値などに変換されて、ＩＣメモリー３２ｉに記憶される。そして、計測値やパラメータ値は、マイクロプロセッサ３２ｍの通信制御によって、小型無線通信器３２ｔを介して通信接続された外部装置（例えば、ユーザが所持するスマートフォンや、スマートウォッチやスマートグラスなどの通信機能のあるウェララブルコンピュータ等）に送信される。
【００３３】
ケース３３は、電子部品３２を格納する本体部３４と、本体部３４に取り外し可能な蓋部３５と、本体部３４に蓋部３５を留めるための留め部３６と、本体部３４と蓋部３５とを水密接続するためのオーリング３７と、を有する。
【００３４】
本体部３４は、前方（ソール１０に収容された収容状態において靴２の前方に同じ：Ｙ軸プラス方向）に向けて開口する箱体である。本体部３４は、アッパーパーツ３４ａとロアパーツ３４ｒの２つの合成樹脂パーツを上下に合わせることで、電子部品３２の格納スペースＳ２（図６参照）を確保している。
【００３５】
蓋部３５は、後方（Ｙ軸マイナス方向）に向けて開口する合成樹脂性の箱体である。蓋部３５は、本体部３４の開口部に覆い被さって、電池３１の格納スペースＳ１（図６参照）を形成している。
【００３６】
電子機器３０は、できるだけコンパクトになるようにデザインされているので、電池３１の格納スペースＳ１と、電子部品３２の格納スペースＳ２とを近づけた位置に配置されている。格納スペースＳ１は、格納する電池３１の輪郭に沿った高さの低い低円柱形状空間とされ、格納スペースＳ２は、電子回路基板３２ｋ等の電子部品３２を格納するために高さの低い箱形空間とされる。よって、電子機器３０は、ソール１０に収容された収容状態における上面視において、前方側（Ｙ軸プラス方向）が突出形状であり、後方側（Ｙ軸マイナス方向）が非突出形状である。
【００３７】
留め部３６は、ネジ３６１と、ケース３３の側部（具体的には、本体部３４のアッパーパーツ３４ａの右側面（外方側面））に設けられたネジ穴３６２と、ケース３３のネジ穴３６２の周囲に設けられた環状突起部３６３と、を有する。
【００３８】
環状突起部３６３は、取り付けられたネジ３６１の頭部を囲むように突設されている。ネジ３６１は、環状突起部３６３の中央凹部に差し込むようにしてねじ込まれる。
【００３９】
留め部３６は、収容状態における上面視において、電池３１の格納スペースＳ１と電子部品３２の格納スペースＳ２との間、ケース３３の側部に設けられている。留め部３６は、収容状態における上面視において、電池３１および電子部品３２との非干渉位置に設けられている、と言い換えても良い。
そして、留め部３６の一部は、ケース３３の左側部（靴の外方側の側部）の側面に突設されており、電子機器３０が左右非対称の輪郭形状をなす要所となっている。つまり、電子機器３０は、収容状態の上面視において、右方（本実施形態においては外方）に凸状の外観形状を有し電池３１と電子部品３２とが並んで配置される。言い換えると、電子機器３０は、収容状態の上面視において、電池３１と電子回路基板３２ｋとが並んで配置される位置に電池３１及び電子回路基板３２ｋを有する、ように構成されている。
【００４０】
電子機器３０が着脱可能な嵌合形状を有するために、収容凹部１３は、電子機器３０の輪郭形状に沿った左右非対称（対称軸ＡＸ２）の形状を成している（図２参照）。視点をソール１０に戻せば、ソール１０は、電子機器３０の留め部３６に対応する嵌着部１６を、収容凹部１３のうち靴の外方側に有する、と言うこともできる。
【００４１】
そして、本体部３４と蓋部３５との合わせ面にはオーリング３７が配置されている（図３、図５参照）。本体部３４と蓋部３５とを合わせて留め部３６で両者を留めると、オーリング３７が適度に圧縮されて本体部３４と蓋部３５との合わせ面からの水の浸入を防ぐ水密封止した状態となる。また、ネジ３６１には、小オーリング３６４（図４、図５参照）が取り付けられており、ねじ込まれると環状突起部３９の中央凹部の底部との隙間を埋め、留め部３６からケース３３内への水の浸入を防ぐ水密封止した状態となる。
【００４２】
次に、電子機器３０の電池交換の手順について説明する。
（１）靴２のソール１０から電子機器３０を外す（図１参照）。凹部形成パーツ１５には、適宜、電子機器３０に指を掛けるための指掛けスペース１５ａを設けておくと好適である。なお、指掛けスペース１５ａを設けないこととしてもよい。また、靴２にインナーソール１９が有る構成では、インナーソール１９を靴２から抜いてから電子機器３０を外す。
【００４３】
（２）電子機器３０のケース３３を開ける。具体的には、ネジ３６１を外して、蓋部３５を本体部３４から抜く（図３参照）。
（３）電池３１を抜いて、新品の電池３１に交換する。
（４）電子機器３０のケース３３を閉じる。
（５）電子機器３０をソール１０の収容凹部１３に嵌める（図２参照）。この時、電子機器３０は、ケース３３の蓋部３５の凸形状が靴２の前を向き、且つ、留め部３６が靴の外側を向く姿勢とする。もし、この正しい収容姿勢を取らないで電子機器３０をソール１０に嵌めようとしても、留め部３６の凸形状が嵌着部１６の位置に合わないので、電子機器３０は収容凹部１３に上手く入らず、ユーザは電子機器３０の向きが間違っていることに直ぐに気づくことができる。
（６）インナーソール１９が有る構成では、インナーソール１９を靴２に挿入する。
【００４４】
以上、本実施形態によれば、電子機器３０は、電池交換可能な構成であり、その形状は平板状とされる。そして、ソール１０には、電子機器３０を着脱可能な収容凹部１３が設けられている。よって、電池３１を搭載した電子機器３０を収容可能な部位を有する靴において、電子機器の電池交換と、それに付随する靴への着脱が可能になる。
【００４５】
そして、電子機器３０をソール１０に収容する相対姿勢を、所定の姿勢に限定したことで、収容凹部１３から外した電子機器３０を再び凹部に収容する際、ユーザは、正しい収容姿勢が一目で分かるようになる。
【００４６】
また、電子機器３０をソール１０に収容する相対姿勢を所定の姿勢に限定することは、計測したデータの扱いを容易にする副次的効果をもたらす。すなわち、電子機器３０をソール１０に収容すると、必ず、電子機器３０の３軸加速度センサー３２ｓで計測される加速度の軸方向と、靴の向きとが規定の対応関係になる。もしも、計測軸方向と靴の向きとが電子機器３０の着脱の都度に変わるのでは、計測したデータの安定的な利用がままならないが、電子機器３０をソール１０に収容する相対姿勢を所定の姿勢に限定したことで、計測したデータの利用が簡単になる。
【００４７】
また、留め部３６の設置位置を工夫することで、幾つかの問題を解決できる。すなわち、電池３１を交換可能とするために蓋部３５を設ける場合、どうしても留め部３６を設けなければならない。電子機器３０はソール１０に収容されるために、できるだけ小型であることが望ましく、留め部３６をどのように配置するかが重要となる。本実施形態では、留め部３６を、左右非対称の外観形状における要点として利用することで、留め部３６の配置と、電子機器３０全体の小型化と、左右非対称の形状の実現と、の３つを解決することができる。
【００４８】
留め部３６をネジ留め構造とし、ネジ３６１の頭部を囲繞する環状突起部３６３を設けることで、ネジ３６１の頭部がソール１０の収容凹部１３の内面に直接当たることにより、ソール１０側の摩耗を促進させないように収容凹部１３を保護することができる。
【００４９】
また、留め部３６の設置位置の工夫は、電子機器３０のコンパクト化にも寄与している。まず、電子機器３０をソール１０に収容する際に所定のソールの厚み内において収納可能にするために、電池３１と電子部品３２とが、収容状態の上面視において、並んで配置されることが好ましく、そのようにすることで、電池３１と電子部品３２とが、収容状態の上面視において重なるように配置される場合よりも電子機器３０の厚みが厚くならないよう構成することが可能となる。このとき、上面視すると、電池３１の格納スペースＳ１は円状又は略円状であり、電子部品３２の格納スペースＳ２は、電子機器３０をできるだけコンパクトに且つ安価に製造しようとすると方形となりやすい。この２つの格納スペースをできるだけ接近させて平板状に配置すると、両者の間に略三角形状の余地が生まれる。本実施形態では、留め部３６を、この余地、すなわち電池３１と電子部品３２とに当接しない位置に納めることで、電子機器３０のコンパクト化に寄与している。
【００５０】
また、本実施形態では、嵌着部１６（図２参照）を靴２の外方側に配置することで、電子機器３０全体の左右非対称の形状の向きと、靴２を履く足の足形の形状とが合うことなる。また、靴２は一般的に前方側が突出した形状となっているため、靴２の前方側・後方側の印象と、電子機器３０の前方側・後方側の外観形状の印象とが合うことになる。そのため、ユーザは、電子機器３０をソール１０に収容する際の、電子機器３０の収容姿勢を直感的に理解することができ、容易に収容することができる。
【００５１】
また、ユーザが足首をねじるような特異な運動行為を行った場合、靴２のソール１０に収容された電子機器３０には、ソール１０に対して鉛直軸回りのトルクが作用する。このトルクは、電子機器３０の外周部と収容凹部１３の内周面との間にねじれ（ツイスト）によるズレを発生しかねない。しかし、本実施形態によれば、嵌着部１６を靴２の外方側に配置したことで、靴２の内方側に配置した場合よりも、上述のトルクに抗する効果が高まり、電子機器３０の格納状態を安定して維持できる。
【００５２】
また、本実施形態では、ソール１０において、本体パーツ１４よりも凹部形成パーツ１５を相対的に高硬度とすることで、電子機器３０の確実な固定および保護と、収容凹部１３の形状安定性とを、確保できる。
【００５３】
なお、本発明を適用可能な実施形態は上記の形態に限るものでは無く、発明の要旨を変更しない限りにおいて適宜構成要素の追加・省略・変更が可能である。
【００５４】
〔変形例その１〕
例えば、図７にて示すように、ソール１０を前後方向に前足部、中足部、踵部に３分割した場合の中足部を支えるための構造部１７を、凹部形成パーツ１５Ｂから爪先方向および踵方向にそれぞれ延設し、凹部形成パーツ１５Ｂがソールの中足部に内蔵される樹脂プレートであるシャンクの役目を兼ねる構成としてもよい。また、上記実施形態では、電子機器３０の前方側の突出形状の例として、円弧形状を例示したが（図２参照）、突出形状は適宜設定可能である。例えば、図７の電子機器３０Ｂのように、前方側を多角形状に突出させるとしても良い。
【００５５】
〔変形例その２〕
また、上記実施形態では、ネジ３６１の頭部を環状突起部３６３で囲って保護する構成としたがこれに限らない。例えば、図８に示す電子機器３０Ｃの留め部３６Ｃのように、環状突起部３６３を省略して、ネジ３６１の頭部を露出させることで、左右非対称の形状を構成するとしてもよい。すなわち、留め部３６Ｃが、ネジ３６１と、ケース３３の側部に設けられたネジ穴３６２とを有して構成されるとしてもよい。
【００５６】
〔変形例その３〕
また、上記実施形態では、留め部３６が、電子機器３０の左右非対称形の要所を兼ねる構成として例示したが留め部３６と左右非対称形の要所とを分けた構成も可能である。例えば、図９の電子機器３０Ｄの留め部３６Ｄのように、環状突起部３６３を省略する一方で、蓋部３５ＤのＸ軸プラス側（靴２の外方側）の外周側面に別途、突起部３５１を設けて、これを電子機器３０Ｄの左右非対称形の要所とすることもできる。
【００５７】
その他、電子機器３０の外観形状及び留め部３６に関連して、上記実施形態では、留め部３６としてネジ留め構造を例示したが、凹凸嵌合、爪による係止、などの留め方（本体部３４と蓋部３５との連結のさせ方）は、その他の構成でも構わない。また、上記実施形態では、電子機器３０が、収容状態の上面視において、右方（本実施形態では外方）に凸状の外観形状（留め部３６）を有する例を示したが、収容状態の上面視において、左方（本実施形態では内方）に凸状の外観形状を有する構成も可能である。
【００５８】
また、適宜変更可能な要素の例として、ソール１０を靴２の中敷きとする構成も可能である。また、本体パーツ１４及び凹部形成パーツ１５の材料の組み合わせは上記実施形態に限らず適宜変更可能である。
【符号の説明】
【００５９】
２…靴
１０…ソール
１３…収容凹部
１４…本体パーツ
１５，１５Ｂ…凹部形成パーツ
１６…嵌着部
３０，３０Ｂ，３０Ｃ，３０Ｄ…電子機器
３１…電池
３２…電子部品
３２ｋ…電子回路基板
３２ｓ…３軸加速度センサー
３２ｔ…小型無線通信器
３３…ケース
３４…本体部
３５，３５Ｄ…蓋部
３６，３６Ｃ，３６Ｄ…留め部
３７…オーリング
３９…環状突起部
３６１…ネジ
３６２…ネジ穴
３６３…環状突起部
ＡＸ１…対称軸
ＡＸ２…対称軸
Ｓ１…電池の格納スペース
Ｓ２…電子部品の格納スペース
【図１】
2020058691.tif 000003
【図２】
2020058691.tif 000004
【図３】
2020058691.tif 000005
【図４】
2020058691.tif 000006
【図５】
2020058691.tif 000007
【図６】
2020058691.tif 000008
【図７】
2020058691.tif 000009
【図８】
2020058691.tif 000010
【図９】
2020058691.tif 000011
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
電池と、電子部品と、前記電池および前記電子部品を格納し、取り外し可能な蓋部が設けられたケースと、を有する電子機器と、
上面側に前記電子機器を着脱可能に収容する収容凹部が設けられたソールと、
を備え、
前記電子機器は、前記蓋部を取り外すことにより、前記電池が交換可能に構成され、
前記電子機器は、前記蓋部を留めるための留め部を、前記ソールへの収容状態における上面視において前記ケースの側部に有することで、左右非対称の輪郭形状をなし、
前記収容凹部は、上面視において、前記電子機器の輪郭形状に沿った左右非対称の形状を有し、
前記電池と前記電子部品とは、前記収容状態の上面視において、並んで配置され、
前記留め部は、前記電池と前記電子部品との間に配置される、
靴。
【請求項２】
前記留め部は、前記収容状態における上面視において、前記ケースの側部から前記電池と前記電子部品との間の前記ケース内にかけて配置される、
請求項１に記載の靴。
【請求項３】
前記電子機器は、収容状態の上面視において、左方および右方の何れかに凸状の外観形状を有し、
前記収容凹部は、上面視において、前記電子機器の前記凸状の外観形状に沿った形状を有する、
請求項１又は２に記載の靴。
【請求項４】
前記留め部は、ネジと、前記ケースの前記側部に設けられたネジ穴と、前記ケースの前記ネジ穴の周囲に設けられた環状突起部と、を有する、
請求項１〜３の何れか一項に記載の靴。
【請求項５】
前記留め部は、ネジと、前記ケースの前記側部に設けられたネジ穴とを有して構成された、
請求項４に記載の靴。
【請求項６】
前記電池は、ボタン電池であり、
前記ケースは、前記収容状態における上面視において、前記ボタン電池を格納可能な略円状の格納スペースと前記電子部品を格納可能な方形状の格納スペースを有し、
前記留め部は、前記略円状の格納スペースと前記方形状の格納スペースとの間に配置される、
請求項１〜５の何れか一項に記載の靴。
【請求項７】
前記ソールは、前記電子機器の前記留め部に対応する嵌着部を、前記収容凹部のうち、前記靴の外方側に有する、
請求項１〜６の何れか一項に記載の靴。
【請求項８】
前記電子機器は、前記収容状態の上面視において、前方側が突出形状であり、後方側が非突出形状である、
請求項１〜７の何れか一項に記載の靴。
【請求項９】
前記ソールは、本体パーツと、前記収容凹部を有する前記本体パーツとは硬度が異なる凹部形成パーツとを有する、
請求項１〜８の何れか一項に記載の靴。
【請求項１０】
前記凹部形成パーツは、前記本体パーツより硬度が高い、
請求項９に記載の靴。
【請求項１１】
上面側に電子機器を着脱可能な嵌合形状の収容凹部が設けられたソールを備えた靴に収容される前記電子機器であって、
電池と、
電子部品と、
前記電池および前記電子部品を格納し、取り外し可能な蓋部が設けられたケースと、
を有し、
前記電子機器は、前記蓋部を取り外すことにより、前記電池が交換可能に構成され、前記蓋部を留めるための留め部を、前記ソールへの収容状態における上面視において前記ケースの側部に有することで、左右非対称の輪郭形状をなし、
前記収容凹部は、上面視において、前記電子機器の輪郭形状に沿った左右非対称の形状を有し、
前記電池と前記電子部品とは、前記収容状態の上面視において、並んで配置され、
前記留め部は、前記電池と前記電子部品との間に配置される、
電子機器。
【手続補正２】
【補正対象書類名】明細書
【補正対象項目名】０００６
【補正方法】変更
【補正の内容】
【０００６】
本発明の一態様は、電池と、電子部品と、前記電池および前記電子部品を格納するケースと、を有して前記電池が交換可能に構成された電子機器と、上面側に前記電子機器を着脱可能に収容する収容凹部が設けられたソールと、を備え、前記収容凹部は、上面視において、収容状態の前記電子機器の外観形状に応じた嵌合形状を有する、靴である。また、本発明の一態様は、電池と、電子部品と、前記電池および前記電子部品を格納し、取り外し可能な蓋部が設けられたケースと、を有する電子機器と、上面側に前記電子機器を着脱可能に収容する収容凹部が設けられたソールと、を備え、前記電子機器は、前記蓋部を取り外すことにより、前記電池が交換可能に構成され、前記電子機器は、前記蓋部を留めるための留め部を、前記ソールへの収容状態における上面視において前記ケースの側部に有することで、左右非対称の輪郭形状をなし、前記収容凹部は、上面視において、前記電子機器の輪郭形状に沿った左右非対称の形状を有し、前記電池と前記電子部品とは、前記収容状態の上面視において、並んで配置され、前記留め部は、前記電池と前記電子部品との間に配置される、靴である。
【手続補正３】
【補正対象書類名】明細書
【補正対象項目名】００１８
【補正方法】変更
【補正の内容】
【００１８】
また、別態様として、上面側に電子機器を着脱可能な嵌合形状の収容凹部が設けられたソールを備えた靴に収容される前記電子機器であって、電池と、電子部品と、前記電池および前記電子部品を格納するケースと、を有して前記電池が交換可能に構成された電子機器を構成するとしてもよい。また、さらに別態様として、上面側に電子機器を着脱可能な嵌合形状の収容凹部が設けられたソールを備えた靴に収容される前記電子機器であって、電池と、電子部品と、前記電池および前記電子部品を格納し、取り外し可能な蓋部が設けられたケースと、を有し、前記電子機器は、前記蓋部を取り外すことにより、前記電池が交換可能に構成され、前記蓋部を留めるための留め部を、前記ソールへの収容状態における上面視において前記ケースの側部に有することで、左右非対称の輪郭形状をなし、前記収容凹部は、上面視において、前記電子機器の輪郭形状に沿った左右非対称の形状を有し、前記電池と前記電子部品とは、前記収容状態の上面視において、並んで配置され、前記留め部は、前記電池と前記電子部品との間に配置された電子機器を構成するとしてもよい。
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
ボタン電池と、電子部品と、前記ボタン電池および前記電子部品を格納するケースと、を有して前記ボタン電池が交換可能に構成された電子機器と、
上面側に前記電子機器を着脱可能に収容する収容凹部が設けられたソールと、
を備え、
前記ケースは、前記ケースを開けて前記ボタン電池を交換可能にするための蓋部および前記蓋部を留めるための留め部を有し、
前記電子機器は、前記ソールへの収容状態における上面視において前記留め部が前記ケースの側面に突設される部分を有することで、左右非対称の輪郭形状をなし、
前記収容凹部は、上面視において、前記電子機器の輪郭形状に沿った左右非対称の形状を有し、
前記ボタン電池を格納可能な電池格納スペースと前記電子部品を格納可能な電子部品格納スペースとは、前記収容状態における上面視において、並んで配置され、
前記留め部は、前記収容状態における上面視において、前記ケースの前記側面から前記電池格納スペースと前記電子部品格納スペースとの間にかけて配置される部分をさらに有する、
靴。
【請求項２】
前記電子機器は、収容状態における上面視において、前記ケースの前記側面に突設される部分に対応する左方および右方の何れかに凸状の外観形状を有し、
前記収容凹部は、上面視において、前記電子機器の前記凸状の外観形状に沿った形状を有する、
請求項１に記載の靴。
【請求項３】
前記留め部は、ネジと、前記ケースの前記側面に設けられたネジ穴と、前記ケースの前記ネジ穴の周囲に設けられた環状突起部と、を有する、
請求項１または２に記載の靴。
【請求項４】
前記留め部は、ネジと、前記ケースの前記側面に設けられたネジ穴とを有して構成された、
請求項１または２に記載の靴。
【請求項５】
前記電子部品格納スペースは、方形状である、
請求項１〜４の何れか一項に記載の靴。
【請求項６】
前記ソールは、前記電子機器の前記留め部に対応する嵌着部を、前記収容凹部のうち、前記靴の外方側に有する、
請求項１〜５の何れか一項に記載の靴。
【請求項７】
前記電子機器は、前記収容状態の上面視において、前方側が突出形状であり、後方側が非突出形状である、
請求項１〜６の何れか一項に記載の靴。
【請求項８】
前記ソールは、本体パーツと、前記収容凹部を有する前記本体パーツとは硬度が異なる凹部形成パーツとを有する、
請求項１〜７の何れか一項に記載の靴。
【請求項９】
前記凹部形成パーツは、前記本体パーツより硬度が高い、
請求項８に記載の靴。
【請求項１０】
上面側に電子機器を着脱可能な嵌合形状の収容凹部が設けられたソールを備えた靴に収容される前記電子機器であって、
ボタン電池と、
電子部品と、
前記ボタン電池および前記電子部品を格納するケースと、
を有して前記ボタン電池が交換可能に構成され、
前記ケースは、前記ケースを開けて前記ボタン電池を交換可能にするための蓋部および前記蓋部を留めるための留め部を有し、
前記電子機器は、前記ソールへの収容状態における上面視において前記留め部が前記ケースの側面に突設される部分を有することで、左右非対称の輪郭形状をなし、
前記収容凹部は、上面視において、前記電子機器の輪郭形状に沿った左右非対称の形状を有し、
前記ボタン電池を格納可能な電池格納スペースと前記電子部品を格納可能な電子部品格納スペースとは、前記収容状態における上面視において、並んで配置され、
前記留め部は、前記収容状態における上面視において、前記ケースの前記側面から前記電池格納スペースと前記電子部品格納スペースとの間にかけて配置される部分をさらに有する、
電子機器。
【手続補正２】
【補正対象書類名】明細書
【補正対象項目名】０００６
【補正方法】変更
【補正の内容】
【０００６】
本発明の一態様は、電池と、電子部品と、前記電池および前記電子部品を格納するケースと、を有して前記電池が交換可能に構成された電子機器と、上面側に前記電子機器を着脱可能に収容する収容凹部が設けられたソールと、を備え、前記収容凹部は、上面視において、収容状態の前記電子機器の外観形状に応じた嵌合形状を有する、靴である。また、本発明の一態様は、電池と、電子部品と、前記電池および前記電子部品を格納し、取り外し可能な蓋部が設けられたケースと、を有する電子機器と、上面側に前記電子機器を着脱可能に収容する収容凹部が設けられたソールと、を備え、前記電子機器は、前記蓋部を取り外すことにより、前記電池が交換可能に構成され、前記電子機器は、前記蓋部を留めるための留め部を、前記ソールへの収容状態における上面視において前記ケースの側部に有することで、左右非対称の輪郭形状をなし、前記収容凹部は、上面視において、前記電子機器の輪郭形状に沿った左右非対称の形状を有し、前記電池と前記電子部品とは、前記収容状態の上面視において、並んで配置され、前記留め部は、前記電池と前記電子部品との間に配置される、靴である。また、本発明の一態様は、ボタン電池と、電子部品と、前記ボタン電池および前記電子部品を格納するケースと、を有して前記ボタン電池が交換可能に構成された電子機器と、上面側に前記電子機器を着脱可能に収容する収容凹部が設けられたソールと、を備え、前記ケースは、前記ケースを開けて前記ボタン電池を交換可能にするための蓋部および前記蓋部を留めるための留め部を有し、前記電子機器は、前記ソールへの収容状態における上面視において前記留め部が前記ケースの側面に突設される部分を有することで、左右非対称の輪郭形状をなし、前記収容凹部は、上面視において、前記電子機器の輪郭形状に沿った左右非対称の形状を有し、前記ボタン電池を格納可能な電池格納スペースと前記電子部品を格納可能な電子部品格納スペースとは、前記収容状態における上面視において、並んで配置され、前記留め部は、前記収容状態における上面視において、前記ケースの前記側面から前記電池格納スペースと前記電子部品格納スペースとの間にかけて配置される部分をさらに有する、靴である。
【手続補正３】
【補正対象書類名】明細書
【補正対象項目名】００１８
【補正方法】変更
【補正の内容】
【００１８】
また、別態様として、上面側に電子機器を着脱可能な嵌合形状の収容凹部が設けられたソールを備えた靴に収容される前記電子機器であって、電池と、電子部品と、前記電池および前記電子部品を格納するケースと、を有して前記電池が交換可能に構成された電子機器を構成するとしてもよい。また、さらに別態様として、上面側に電子機器を着脱可能な嵌合形状の収容凹部が設けられたソールを備えた靴に収容される前記電子機器であって、電池と、電子部品と、前記電池および前記電子部品を格納し、取り外し可能な蓋部が設けられたケースと、を有し、前記電子機器は、前記蓋部を取り外すことにより、前記電池が交換可能に構成され、前記蓋部を留めるための留め部を、前記ソールへの収容状態における上面視において前記ケースの側部に有することで、左右非対称の輪郭形状をなし、前記収容凹部は、上面視において、前記電子機器の輪郭形状に沿った左右非対称の形状を有し、前記電池と前記電子部品とは、前記収容状態の上面視において、並んで配置され、前記留め部は、前記電池と前記電子部品との間に配置された電子機器を構成するとしてもよい。また、さらに別態様として、上面側に電子機器を着脱可能な嵌合形状の収容凹部が設けられたソールを備えた靴に収容される前記電子機器であって、ボタン電池と、電子部品と、前記ボタン電池および前記電子部品を格納するケースと、を有して前記ボタン電池が交換可能に構成され、前記ケースは、前記ケースを開けて前記ボタン電池を交換可能にするための蓋部および前記蓋部を留めるための留め部を有し、前記電子機器は、前記ソールへの収容状態における上面視において前記留め部が前記ケースの側面に突設される部分を有することで、左右非対称の輪郭形状をなし、前記収容凹部は、上面視において、前記電子機器の輪郭形状に沿った左右非対称の形状を有し、前記ボタン電池を格納可能な電池格納スペースと前記電子部品を格納可能な電子部品格納スペースとは、前記収容状態における上面視において、並んで配置され、前記留め部は、前記収容状態における上面視において、前記ケースの前記側面から前記電池格納スペースと前記電子部品格納スペースとの間にかけて配置される部分をさらに有する電子機器を構成するとしてもよい。